(57)【要約】      （修正有）【課題】ゴミ袋を廃棄する特殊な黄色で忌避剤を塗布したゴミ袋では経済的に負担が増大するのを経済的な白色ゴミ袋で廃棄可能にするゴミ集積場に配置のゴミカバー用ネットの提供。【解決手段】黄色のゴミカバー用ネット１に、ゴミカバーシートの四方の両面に芯材シート４を貼着し、両芯材シートの孔２個に貫通させて紐状シートの黄色い紐３の２本を引き出し、当該数箇所の黄色の紐の２本で複数枚のゴミカバーシートを黄色のゴミカバー用ネットに覆い被せ紐締め装着してゴミ集積場に配置する黄色のゴミカバー用ネット。【選択図】図１
0003119906.tif 000002
【実用新案登録請求の範囲】
【請求項１】
黄色のゴミカバー用ネット１に、ゴミカバーシート２の四方の両面に黄色の両芯材シート４を貼着し、黄色の両芯材シート４の孔２個に貫通させた紐状シートの黄色の紐３の２本を設け、黄色のゴミカバー用ネット１の大きさに合わせ複数枚のゴミカバーシート２の四方で紐状シートの黄色の紐３を複数個を設けるようにして、ゴミカバーシート２を黄色のゴミカバー用ネット１に紐締め装着してなる黄色のゴミカバー用ネット。
【考案の詳細な説明】
【技術分野】
【０００１】
本考案は、ゴミ集積場には従来からある青緑色のゴミカバー用ネットに、白色のゴミ袋を集積場に廃棄収納するゴミ集積場にあるゴミカバー用ネットに係る。
【背景技術】
【０００２】
従来からあるゴミ集積場には青緑色のゴミカバー用ネットでゴミ袋を覆い被せ、収納するゴミ袋には鳥類が嫌う忌避剤を塗布したゴミ袋でゴミ集積場に廃棄する特殊なゴミ袋
で収納するようにしている。
【考案の開示】
【考案が解決しようとする課題】
【０００３】
本考案は、従来のものはゴミ袋を鳥類が嫌う黄色の忌避剤を塗布したゴミ袋を使用するようにしたから、その特殊なゴミ袋を、ゴミ廃棄毎に使用するから、その経済的には負担増大するもので、一年中毎日廃棄し使用するから更に経済的に負担が増えてしまう特殊な鳥類が嫌う黄色の忌避剤を塗布した特殊なゴミ袋で捨てているのが現状である。
【課題を解決するための手段】
【０００４】
本考案について説明すると、黄色のゴミカバー用ネットに、ゴミカバーシートの四方の両面に黄色の両芯材シートを貼着し、ゴミカバーシートと両芯材シートの孔２個に貫通させた黄色の芯材シートの紐の２本を引き出し設け、覆い被せる複数枚のゴミカバーシートの四方に紐状シートの黄色の紐を複数個設けて、ゴミカバー用ネットの大きさに合わせ、複数枚のゴミカバーシートを紐締め装着出来、ゴミカバーシートで覆い被せた黄色のゴミカバー用ネットをゴミ集積場に常時、常備することで、従来の経済的に負担増大する鳥類の嫌う黄色で忌避剤を塗布した特殊なゴミ袋を不要にして、従来からある普通の白色のゴミ袋で廃棄出来、一年中毎日廃棄するゴミ袋の点から経済的に負担を軽減する効果は大である。
【考案の効果】
【０００５】
本考案は上述のように、ゴミカバー用ネットを黄色にし、ゴミカバーシートの四方の両面に黄色の両芯材シートを貼着し、ゴミカバーシートと両芯材シートの孔２個に貫通させて紐状シートの黄色の紐の２本を引き出し設けて、ゴミカバー用ネットの大きさに合わせて、覆い被せる複数個のゴミカバーシートの四方に紐状シートの黄色の紐を複数個設けたから、黄色のゴミカバー用ネットに合わせて複数枚のゴミカバーシートを紐締め装着出来て、複数枚のゴミカバーシートの四方の数箇所の紐状シートの黄色の２本の紐で、黄色のゴミカバー用ネットにゴミカバーシートを装着し、ゴミ集積場に黄色のゴミカバー用ネットを常時、常備すれば、従来の特殊な鳥類の嫌う黄色で忌避剤を塗布した特殊なゴミ袋を不要にし、普通の白色のゴミ袋で済ませることが出来る経済的に負担を軽減し、ゴミカバーシートを鳥類、カラスが嫌う黄色の忌避剤を塗布したことと相俟って、カラスが近寄らず、ゴミによる汚れを未然に防ぐようにゴミ集積場に配置した黄色のゴミカバー用ネットを提供するものである。
【考案を実施するための最良の形態】
【０００６】
以下、本考案の実施の形態を図１〜図３に基づいて説明する。
【実施例】
【０００７】
本考案を図１、２について詳しく説明すると、１は黄色のゴミカバー用ネットであり、従来あるゴミ集積場の青緑色のゴミカバー用ネット７と違い、黄色の鳥類が嫌う色の黄色にしたものである。黄色のゴミカバー用ネット１にゴミカバーシート２を覆い被せようにしたもので、当該覆い被せるゴミカバーシート２を、黄色のゴミカバー用ネットに覆い被せ装着するために、図３で解るようにゴミカバーシート２の四方の両面に黄色の両芯材シート４を貼着し、ゴミカバーシート２と黄色の両芯材シート４の孔２個に貫通させて紐状シートの黄色の紐３の２本を引き出すように設け、ゴミカバーシート２の四方には複数本の紐状シートの黄色の紐３を設けるようにしたものである。
紐状シートの黄色の紐３の２本を引き出し設け、ゴミカバーシート２の四方に複数本の紐状シートの黄色の紐３を設けたから、ゴミカバー用ネット１に覆い被せた複数枚のゴミカバーシート２を、紐状シートの黄色の紐３を紐締めし、複数枚のゴミカバーシート２を覆い被せてゴミカバーシート２の四方の複数本設けた紐３でゴミカバー用ネット１に複数枚のゴミカバーシート２を紐締め装着して黄色のゴミカバー用ネット１としたものである。
ゴミカバーシート２は、従来からある使用されている鳥類が嫌う黄色の忌避剤を塗布したゴミ袋６で、当該黄色の忌避剤を塗布したゴミ袋６を、シート状にして鳥類が嫌う黄色の忌避剤を塗布したゴミカバーシート２としたものである。
本考案は上述のようにした構成から、ゴミカバー用ネット１を黄色で仕上げ、ゴミカバー用ネット１に覆い被せるゴミカバーシート２の四方の両面に黄色の両芯材シート４を貼着し、ゴミカバーシート２と黄色の両芯材シート４の孔２個に貫通させて紐状シートの黄色の紐３の２本を引き出し設け、当該黄色の紐３で紐締めしてゴミカバーシート２をゴミカバー用ネット１に覆い被せたから、紐状シートの紐３とゴミカバー用ネット１を全て黄色に仕上げたものであり、しかもゴミカバー用ネット１に覆い被せるゴミカバーシート２を従来からあるゴミ袋の鳥類が嫌う黄色で忌避剤を塗布したゴミ袋６をシート状に仕上げてゴミカバーシート２としたことと相俟って全てが黄色で統一し、鳥類のカラス等が近寄らず、従ってゴミ集積場がゴミによる汚れるを防ぐ効果を有し、黄色のゴミカバー用ネット１をゴミ集積場に常時配置するから、従来の特殊な鳥類の嫌う黄色で忌避剤を塗布したゴミ袋６を不要にし、経済的に安価な白いゴミ袋５で済み一年中毎日廃棄することから経済的な負担軽減出来る効果を有するものである。
上述のような構成からゴミカバー用ネット１に覆い被せるゴミカバーシート２は、使い勝手が無く、どちらでも取付可能で、そのゴミ集積場の構成、ゴミ集積場の大きさにより、ゴミカバー用ネット１の、内面からか、外面からかゴミカバーシート２を覆い被せゴミカバー用ネット１に紐締め装着するかはどちらでも良いものである。
【産業上の利用可能性】
【０００８】
本考案は黄色のゴミカバー用ネット１にし、ゴミカバーシート２の四方の両面に黄色の両芯材シート４を貼着し、ゴミカバーシートと両芯材シート４の孔２個に貫通させて紐状シートの黄色の紐３の２本を引き出し設け、ゴミカバー用ネット１の大きさに合わせ複数枚のゴミカバーシート２の四方に設けた複数本の紐３で、黄色のゴミカバー用ネット１にゴミカバーシート２を黄色の紐３の２本で紐締めし、黄色のゴミカバー用ネット１にゴミカバーシート２の四方を紐状シートの黄色の紐３で装着するようにしたから鳥類のカラス等が近寄らずゴミ集積場の回りのゴミの汚れを防ぐ効果が有り、黄色のゴミカバー用ネット１にし、更に装着したゴミカバーシート２を、従来の特殊な鳥類の嫌う黄色で忌避材を塗布したゴミ袋をゴミカバーシート２としたことと、ゴミ集積場に配置したゴミカバー用ネット１内が見えないことから、従来の普通の白いゴミ袋５で廃棄可能に出来、一年中毎日廃棄することから経済的な負担を軽減できる効果を有し利用可能性は大である。
【図面の簡単な説明】
【０００９】
【図１】本考案のゴミカバーシートを黄色のゴミカバー用ネットに紐状シートの黄色の紐で、数箇所で紐締め複数枚のゴミカバーシートを装着した状態を示す斜視図である。
【図２】本考案のゴミカバーシートを紐締め装着前の黄色のゴミカバ−用ネットをゴミ集積場に配置する状態を示す斜視図である。
【図３】本考案のゴミカバーシートの四方の両面に黄色の両芯材シートを貼着し、黄色の芯材シートに設けた孔２個に貫通させた紐状シートの黄色の紐の２本を引き出した斜視図である。
【符号の説明】
【００１０】
１    黄色のゴミカバー用ネット          ２    ゴミカバーシート
３    紐状シートの黄色の紐              ４    黄色の芯材シート
５    普通の白色のゴミ袋                ６    黄色の忌避剤を塗布したゴミ袋
７    従来の青緑色のゴミカバー用ネット（図示せず）
【図１】
0003119906.tif 000003
【図２】
0003119906.tif 000004
【図３】
0003119906.tif 000005